(57)【要約】【課題】  空調空気供給量が略一定の運転状態で、ある一箇所の吹き出し口からの吹き出し風量を増大させる操作を行っても、残りの吹き出し口からの空調空気の吹き出し量の減少を緩和できるようにする。【解決手段】  吹き出し用ファン１４を各別に備えた複数の吹き出し口１０を居住用室内Ａに臨ませて設けてあるとともに、それらの吹き出し口に共通の空調空気供給手段２と、吹き出し風量を吹き出し口毎に設定操作自在な風量設定手段１７とを設けてある居住用室内空調設備であって、室内空気を吹き出し用空気として吹き出し口毎に供給可能に設けて、ファンの駆動で空調空気と室内空気との混合空気を吹き出し口から吹き出し可能に構成し、空調空気供給手段からの空調空気の供給量が略一定の運転状態での、ある吹き出し口からの吹き出し風量を増大させる設定操作で、室内空気を空調空気に混合可能に構成してある。【選択図】        図１
2007078262.tif 000002
【特許請求の範囲】
【請求項１】
吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、
室内空気を吹き出し用空気として前記吹き出し口毎に供給可能に設けて、前記ファンの駆動で前記空調空気と前記室内空気との混合空気を前記吹き出し口から吹き出し可能に構成し、
前記空調空気供給手段からの空調空気の供給量が略一定の運転状態での、ある吹き出し口からの吹き出し風量を増大させる設定操作で、室内空気を前記空調空気に混合可能に構成してある居住用室内空調設備。
【請求項２】
吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、
室内空気を吹き出し用空気として前記吹き出し口毎に供給可能に設けて、前記ファンの駆動で前記空調空気と前記室内空気との混合空気を前記吹き出し口から吹き出し可能に構成し、
前記吹き出し口への空調空気の供給量を各吹き出し口毎に設定してある略一定量に維持可能に構成するとともに、
前記空調空気供給手段からの空調空気の供給量が略一定の運転状態での、ある吹き出し口からの吹き出し風量を増大させる設定操作で、その増大分を補充する室内空気を前記空調空気に混合可能に構成してある居住用室内空調設備。
【請求項３】
吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、
室内空気を吹き出し用空気として前記吹き出し口毎に供給可能に設けて、前記ファンの駆動で前記空調空気と前記室内空気との混合空気を前記吹き出し口から吹き出し可能に構成し、
前記吹き出し口への空調空気の供給量を各吹き出し口毎に設定してある略一定量に維持可能な空調空気供給量維持手段を設けて、前記空調空気供給手段からの空調空気の供給量が略一定の運転状態での、ある吹き出し口からの吹き出し風量を増大させる設定操作で、その増大分を補充する室内空気を前記空調空気に混合可能に構成してある居住用室内空調設備。
【請求項４】
吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、
室内空気を吹き出し用空気として前記吹き出し口毎に供給可能に設けて、前記ファンの駆動で前記空調空気と前記室内空気との混合空気を前記吹き出し口から吹き出し可能に構成し、
室内空気を吹き出し用空気として前記吹き出し口に供給可能な室内空気供給手段を、その空気供給量を前記吹き出し口毎に調節自在に設けて、前記空調空気供給手段からの空調空気の供給量が略一定の運転状態での、ある吹き出し口からの吹き出し風量を増大させる設定操作で、その増大分を補充する室内空気を前記空調空気に混合できるように、前記室
内空気供給手段による空気供給量を調節可能に構成してある居住用室内空調設備。
【請求項５】
吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、
室内空気を吹き出し用空気として前記吹き出し口毎に供給可能に設けて、前記ファンの駆動で前記空調空気と前記室内空気との混合空気を前記吹き出し口から吹き出し可能に構成してあるとともに、
前記空調空気と前記室内空気との混合比を前記吹き出し口毎に調節自在な混合比調節手段を設けて、前記空調空気供給手段からの空調空気の供給量が略一定の運転状態での、ある吹き出し口からの吹き出し風量を増大させる設定操作で、その増大分を補充する室内空気を前記空調空気に混合できるように、前記混合比を調節可能に構成してある居住用室内空調設備。
【請求項６】
前記吹き出し口近くの人間を検知可能なセンサと、前記センサによる検知結果に基づいて、その吹き出し口からの吹き出し風量が増大するように前記ファンの作動を制御可能な制御手段とを設けてある請求項１〜５のいずれか１項記載の居住用室内空調設備。
【請求項７】
前記制御手段を、前記センサによる検知結果に基づいて吹き出し風量を増大させた後、設定時間が経過すると、前記センサによる検知前の吹き出し風量に復帰するように、前記ファンの作動を制御可能に設けてある請求項６記載の居住用室内空調設備。
【請求項８】
前記ファンによる混合空気の吹き出し風量をファン周方向に沿って分散させる分散手段を設けてある請求項１〜５のいずれか１項記載の居住用室内空調設備。
【発明の詳細な説明】
【技術分野】
【０００１】
本発明は、吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備に関する。
【背景技術】
【０００２】
上記居住用室内空調設備は、複数の吹き出し口に空調空気を供給可能な共通の空調空気供給手段を設けてあるので、空調空気供給手段から供給される空調空気が各吹き出し口に分配供給され、従来、空調空気供給手段からの空調空気の供給量が略一定の運転状態では、各吹き出し口からは、吹き出し口毎に設定してある吹き出し風量に応じた略一定の空調空気が吹き出されるように構成してある（例えば、特許文献１参照）。
【０００３】
【特許文献１】実開昭６３−１３４３４０号公報
【発明の開示】
【発明が解決しようとする課題】
【０００４】
このため、例えば、暑い屋外環境などから空調空間に入った直後の人が、吹き出し口からの吹き出し空気を体に当てて、体を急速に冷やしたいような場合に、空調空気供給手段からの空調空気の供給量が略一定の運転状態で、ある一箇所の吹き出し口からの吹き出し風量を増大させる設定操作を行うと、その吹き出し口からの空調空気の吹き出し量が増大するものの、その増大分に応じて、残りの吹き出し口からの空調空気の吹き出し量が減少する欠点がある。
本発明は上記実情に鑑みてなされたものであって、空調空気供給手段からの空調空気の供給量が略一定の運転状態で、ある一箇所の吹き出し口からの吹き出し風量を増大させる操作を行っても、残りの吹き出し口からの空調空気の吹き出し量の減少を緩和できるようにすることを目的とする。
【課題を解決するための手段】
【０００５】
本発明の第１特徴構成は、吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、室内空気を吹き出し用空気として前記吹き出し口毎に供給可能に設けて、前記ファンの駆動で前記空調空気と前記室内空気との混合空気を前記吹き出し口から吹き出し可能に構成し、前記空調空気供給手段からの空調空気の供給量が略一定の運転状態での、ある吹き出し口からの吹き出し風量を増大させる設定操作で、室内空気を前記空調空気に混合可能に構成してある点にある。
【０００６】
〔作用及び効果〕
室内空気を吹き出し用空気として吹き出し口毎に供給可能に設けて、ファンの駆動で空調空気と室内空気との混合空気を吹き出し口から吹き出し可能に構成し、空調空気供給手段からの空調空気の供給量が略一定の運転状態での、ある吹き出し口からの吹き出し風量を増大させる設定操作で、室内空気を空調空気に混合可能に構成してあるので、空調空気供給手段からの空調空気の供給量が略一定の運転状態で、ある一箇所の吹き出し口からの吹き出し風量を増大させる設定操作を行っても、空調空気と室内空気との混合空気をその吹き出し口から吹き出させて、その吹き出し風量を増大させることができ、残りの吹き出
し口からの空調空気の吹き出し量の減少を緩和できる。
また、空調空気の温度や湿度を比較的高く設定してある場合でも、必要に応じて、ある吹き出し口からの吹き出し風量を増大させて、涼感を感じさせることができるので、空調設備の省エネルギー運転を実施し易い。
【０００７】
本発明の第２特徴構成は、吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、室内空気を吹き出し用空気として前記吹き出し口毎に供給可能に設けて、前記ファンの駆動で前記空調空気と前記室内空気との混合空気を前記吹き出し口から吹き出し可能に構成し、前記吹き出し口への空調空気の供給量を各吹き出し口毎に設定してある略一定量に維持可能に構成するとともに、前記空調空気供給手段からの空調空気の供給量が略一定の運転状態での、ある吹き出し口からの吹き出し風量を増大させる設定操作で、その増大分を補充する室内空気を前記空調空気に混合可能に構成してある点にある。
【０００８】
〔作用及び効果〕
室内空気を吹き出し用空気として吹き出し口毎に供給可能に設けて、ファンの駆動で空調空気と室内空気との混合空気を吹き出し口から吹き出し可能に構成し、吹き出し口への空調空気の供給量を各吹き出し口毎に設定してある略一定量に維持可能に構成するとともに、空調空気供給手段からの空調空気の供給量が略一定の運転状態での、ある吹き出し口からの吹き出し風量を増大させる設定操作で、その増大分を補充する室内空気を空調空気に混合可能に構成してあるので、空調空気供給手段からの空調空気の供給量が略一定の運転状態で、ある一箇所の吹き出し口からの吹き出し風量を増大させる設定操作を行っても、その吹き出し口への空調空気の供給量を略一定量に維持しながら、吹き出し風量の増大分を室内空気で補充するように空調空気と室内空気とを混合した混合空気をその吹き出し口から吹き出させて、その吹き出し風量を増大させることができ、残りの吹き出し口からの空調空気の吹き出し量の減少をより一層緩和できる。
また、空調空気の温度や湿度を比較的高く設定してある場合でも、必要に応じて、ある吹き出し口からの吹き出し風量を増大させて、涼感を感じさせることができるので、空調設備の省エネルギー運転を実施し易い。
【０００９】
本発明の第３特徴構成は、吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、室内空気を吹き出し用空気として前記吹き出し口毎に供給可能に設けて、前記ファンの駆動で前記空調空気と前記室内空気との混合空気を前記吹き出し口から吹き出し可能に構成し、前記吹き出し口への空調空気の供給量を各吹き出し口毎に設定してある略一定量に維持可能な空調空気供給量維持手段を設けて、前記空調空気供給手段からの空調空気の供給量が略一定の運転状態での、ある吹き出し口からの吹き出し風量を増大させる設定操作で、その増大分を補充する室内空気を前記空調空気に混合可能に構成してある点にある。
【００１０】
〔作用及び効果〕
室内空気を吹き出し用空気として吹き出し口毎に供給可能に設けて、ファンの駆動で空調空気と室内空気との混合空気を吹き出し口から吹き出し可能に構成し、吹き出し口への空調空気の供給量を各吹き出し口毎に設定してある略一定量に維持可能な空調空気供給量維持手段を設けて、空調空気供給手段からの空調空気の供給量が略一定の運転状態での、ある吹き出し口からの吹き出し風量を増大させる設定操作で、その増大分を補充する室内空気を空調空気に混合可能に構成してあるので、空調空気供給手段からの空調空気の供給
量が略一定の運転状態で、ある一箇所の吹き出し口からの吹き出し風量を増大させる設定操作を行っても、その吹き出し口への空調空気の供給量を空調空気供給量維持手段で略一定量に維持しながら、吹き出し風量の増大分を室内空気で補充するように空調空気と室内空気とを混合した混合空気をその吹き出し口から吹き出させて、その吹き出し風量を増大させることができ、残りの吹き出し口からの空調空気の吹き出し量の減少を緩和できる。
また、空調空気の温度や湿度を比較的高く設定してある場合でも、必要に応じて、ある吹き出し口からの吹き出し風量を増大させて、涼感を感じさせることができるので、空調設備の省エネルギー運転を実施し易い。
【００１１】
本発明の第４特徴構成は、吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、室内空気を吹き出し用空気として前記吹き出し口毎に供給可能に設けて、前記ファンの駆動で前記空調空気と前記室内空気との混合空気を前記吹き出し口から吹き出し可能に構成し、室内空気を吹き出し用空気として前記吹き出し口に供給可能な室内空気供給手段を、その空気供給量を前記吹き出し口毎に調節自在に設けて、前記空調空気供給手段からの空調空気の供給量が略一定の運転状態での、ある吹き出し口からの吹き出し風量を増大させる設定操作で、その増大分を補充する室内空気を前記空調空気に混合できるように、前記室内空気供給手段による空気供給量を調節可能に構成してある点にある。
【００１２】
〔作用及び効果〕
室内空気を吹き出し用空気として吹き出し口毎に供給可能に設けて、ファンの駆動で空調空気と室内空気との混合空気を吹き出し口から吹き出し可能に構成し、室内空気を吹き出し用空気として吹き出し口に供給可能な室内空気供給手段を、その空気供給量を吹き出し口毎に調節自在に設けて、空調空気供給手段からの空調空気の供給量が略一定の運転状態での、ある吹き出し口からの吹き出し風量を増大させる設定操作で、その増大分を補充する室内空気を空調空気に混合できるように、室内空気供給手段による空気供給量を調節可能に構成してあるので、空調空気供給手段からの空調空気の供給量が略一定の運転状態で、ある一箇所の吹き出し口からの吹き出し風量を増大させる設定操作を行っても、吹き出し風量の増大分を室内空気で補充できるように、その設定操作で室内空気供給手段による空気供給量を調節することにより、空調空気と室内空気とを混合した混合空気をその吹き出し口から吹き出させて、その吹き出し風量を増大させることができ、残りの吹き出し口からの空調空気の吹き出し量の減少を緩和できる。
また、空調空気の温度や湿度を比較的高く設定してある場合でも、必要に応じて、ある吹き出し口からの吹き出し風量を増大させて、涼感を感じさせることができるので、空調設備の省エネルギー運転を実施し易い。
【００１３】
本発明の第５特徴構成は、吹き出し用ファンを各別に備えた複数の吹き出し口を居住用室内に臨ませて設けてあるとともに、前記複数の吹き出し口に空調空気を供給可能な共通の空調空気供給手段と、前記ファンによる吹き出し風量を前記吹き出し口毎に設定操作自在な風量設定手段とを設けてある居住用室内空調設備であって、室内空気を吹き出し用空気として前記吹き出し口毎に供給可能に設けて、前記ファンの駆動で前記空調空気と前記室内空気との混合空気を前記吹き出し口から吹き出し可能に構成してあるとともに、前記空調空気と前記室内空気との混合比を前記吹き出し口毎に調節自在な混合比調節手段を設けて、前記空調空気供給手段からの空調空気の供給量が略一定の運転状態での、ある吹き出し口からの吹き出し風量を増大させる設定操作で、その増大分を補充する室内空気を前記空調空気に混合できるように、前記混合比を調節可能に構成してある点にある。
【００１４】
〔作用及び効果〕
室内空気を吹き出し用空気として吹き出し口毎に供給可能に設けて、ファンの駆動で空調空気と室内空気との混合空気を吹き出し口から吹き出し可能に構成してあるとともに、空調空気と室内空気との混合比を吹き出し口毎に調節自在な混合比調節手段を設けて、空調空気供給手段からの空調空気の供給量が略一定の運転状態での、ある吹き出し口からの吹き出し風量を増大させる設定操作で、その増大分を補充する室内空気を空調空気に混合できるように、混合比を調節可能に構成してあるので、空調空気供給手段からの空調空気の供給量が略一定の運転状態で、ある一箇所の吹き出し口からの吹き出し風量を増大させる設定操作を行っても、その設定操作で、その増大分を補充する室内空気を空調空気に混合できるように、混合比調節手段による混合比を調節することにより、空調空気と室内空気とを混合した混合空気をその吹き出し口から吹き出させて、その吹き出し風量を増大させることができ、残りの吹き出し口からの空調空気の吹き出し量の減少を緩和できる。
また、空調空気の温度や湿度を比較的高く設定してある場合でも、必要に応じて、ある吹き出し口からの吹き出し風量を増大させて、涼感を感じさせることができるので、空調設備の省エネルギー運転を実施し易い。
【００１５】
本発明の第６特徴構成は、前記吹き出し口近くの人間を検知可能なセンサと、前記センサによる検知結果に基づいて、その吹き出し口からの吹き出し風量が増大するように前記ファンの作動を制御可能な制御手段とを設けてある点にある。
【００１６】
〔作用及び効果〕
吹き出し口近くの人間を検知可能なセンサと、そのセンサによる検知結果に基づいて、その吹き出し口からの吹き出し風量が増大するようにファンの作動を制御可能な制御手段とを設けてあるので、センサが吹き出し口近くの人間を検知すると、人間が特に操作することなく、その吹き出し口からの混合空気の吹き出し風量が増大するようにファンを作動させて、涼感を与えることができる。
【００１７】
本発明の第７特徴構成は、前記制御手段を、前記センサによる検知結果に基づいて吹き出し風量を増大させた後、設定時間が経過すると、前記センサによる検知前の吹き出し風量に復帰するように、前記ファンの作動を制御可能に設けてある点にある。
【００１８】
〔作用及び効果〕
制御手段を、吹き出し口近くの人間を検知可能なセンサによる検知結果に基づいて吹き出し風量を増大させた後、設定時間が経過すると、そのセンサによる検知前の吹き出し風量に復帰するように、ファンの作動を制御可能に設けてあるので、センサが吹き出し口近くの人間を検知すると、人間が特に操作することなく、その吹き出し口からの混合空気の吹き出し風量を増大させて、涼感を与えることができる。
また、吹き出し風量を増大させた状態がいつまでも続くと、かえって不快感を与えるおそれがあるが、設定時間が経過すると、元の吹き出し風量に復帰するようにファンを作動させることができるので、不快感を与えるような事態を防止し易い。
【００１９】
本発明の第８特徴構成は、前記ファンによる混合空気の吹き出し風量をファン周方向に沿って分散させる分散手段を設けてある点にある。
【００２０】
〔作用及び効果〕
ファンによる混合空気の吹き出し風量をファン周方向に沿って分散させる分散手段を設けてあるので、混合空気を吹き出し口周りに分散するように吹き出させ易い。
【発明を実施するための最良の形態】
【００２１】
以下に本発明の実施の形態を図面に基づいて説明する。
〔第１実施形態〕
図１は本発明による居住用室内空調設備を示し、複数の吹き出しユニット１と、各吹き出しユニット１に空調空気を供給可能な共通の空調空気供給手段としての一つの空調ユニット２とを、上部床スラブ４と天井板５との間に設置してある空調空気供給ダクト３で接続し、天井面に開口させてある室内空気取入口６から取り入れダクト７を通して取り入れた室内空気を空調ユニット２で所定の温度と湿度の空調空気に調整して、空調空気供給ダクト３を通して、各吹き出しユニット１に分配供給できるように構成してある。
【００２２】
前記吹き出しユニット１の各々は、円筒状の外周壁を備えたハウジング８の内側に、円環状の仕切り壁９を設けて、ルーバー付きの吹き出し口１０を居住用室内Ａに臨むように備えた空気混合室１１と、ルーバー付きの室内空気流入口１２を備えた室内空気流入室１３とに同芯状に区画するとともに、空気混合室１１と室内空気流入室１３の上部を互いに連通させて、空気混合室１１の上部に空調空気供給ダクト３を接続し、空気混合室１１の内側に電動式吹き出し用ファン１４と、吹き出し用ファン１４による混合空気の吹き出し風量をファン周方向に沿って分散させる分散手段１５とを設けてある。
前記分散手段１５は、混合空気の風圧で吹き出し用ファン１４の回転軸芯と同芯状に回転する回転羽根を設けて構成してある。
【００２３】
前記空調空気供給ダクト３は、空調空気供給量維持手段としての定風量ユニット１６を介して、各吹き出しユニット１に接続して、吹き出し口１０への空調空気の供給量を各吹き出し口１０毎に設定してある略一定量に維持可能に構成してある。
【００２４】
そして、各吹き出しユニット１毎に、吹き出し用ファン１４による吹き出し口１０からの吹き出し風量を任意に設定操作自在な風量設定手段１７と、吹き出し口１０近くの人間を検知可能なセンサ１８と、吹き出し用ファン１４の作動を制御する制御装置１９とを設けて、吹き出し用ファン１４の駆動で、室内空気流入室１３の室内空気を吸引するとともに、その吸引した室内空気と空調ユニット２から供給された空調空気と混合して、その混合空気を吹き出し口１０から室内に向けて吹き出し可能に構成してある。
【００２５】
前記制御装置１９は、空調ユニット２からの空調空気の供給量が略一定の冷房運転状態での、風量設定手段１７による吹き出し風量の設定操作に基づいて、吹き出し用ファン１４の作動を制御する第１制御モードと、空調ユニット２からの空調空気の供給量が略一定の冷房運転状態での、センサ１８による吹き出し口１０近くの人間の検知結果に基づいて、吹き出し用ファン１４の作動を制御する第２制御モードとに切り換え自在に設けてある。
【００２６】
前記第１制御モードでは、風量設定手段１７による吹き出し風量を増大させる設定操作で、その増大分を補充する室内空気を室内空気流入室１３から空気混合室１１に吸引して吹き出し口１０に供給できるように、吹き出し用ファン１４の回転数を増大側に調節して、吹き出し口１０からの混合空気の吹き出し風量が増大するように、吹き出し用ファン１４の作動を制御する。
【００２７】
前記第２制御モードでは、吹き出し用ファン１４の回転数を予め設定してある設定回転数に増大させることにより、吹き出し風量の増大分を補充する室内空気を室内空気流入室１３から空気混合室１１に吸引して吹き出し口１０に供給して、吹き出し口１０からの混合空気の吹き出し風量を予め設定してある設定風量に増大させ、混合空気の吹き出し風量を増大させた後は、設定時間が経過すると、センサ１８による検知前の吹き出し風量に復帰するように、吹き出し用ファン１４の作動を制御する。
【００２８】
尚、図中、１ａは、空調空気のみによる冷房運転中の吹き出しユニット１を示し、１ｂは、第１制御モード又は第２制御モードでの運転中の吹き出しユニット１を示している。
【００２９】
〔第２実施形態〕
図２は本発明による居住用室内空調設備の別実施形態を示し、上部床スラブ４と天井板５との間を空調空気貯留空間（天井チャンバー）２７に構成して、空調ユニット２で調整した空調空気をダクト２９でその空調空気貯留空間２７に送り込むと共に、各定風量ユニット１６の空調空気流入口２８をその空調空気貯留空間２７に臨ませて、空調空気貯留空間２７の空調空気を、定風量ユニット１６を介して、各吹き出しユニット１に分配供給するように構成してある。
その他の構成は第１実施形態と同様である。
【００３０】
〔第３実施形態〕
図３は本発明による居住用室内空調設備の別実施形態を示し、多数の室内空気取入口６を天井板５に設けて、上部床スラブ４と天井板５との間を室内空気流入空間２０に構成するとともに、室内空気流入空間２０に設置してある空調ユニット２と各吹き出しユニット１とを空調空気供給ダクト３で接続し、空調ユニット２は、室内空気流入空間２０の室内空気を取り入れて空調空気に調整できるように設けてある。
【００３１】
前記吹き出しユニット１は、そのハウジング８の内側全体を空気混合室１１に形成して、吹き出し用ファン１４と回転羽根１５とを設け、室内空気流入空間２０の室内空気を吹き出し用空気として吹き出し口１０に供給できるように、開度調節自在な電動式のダンパ２１を備えた開口２２をハウジング８に設けてある。
【００３２】
そして、各吹き出しユニット１毎に、吹き出し用ファン１４による吹き出し口１０からの吹き出し風量を任意に設定操作自在な風量設定手段１７と、吹き出し口１０近くの人間を検知可能なセンサ１８と、吹き出し用ファン１４とダンパ２１の作動を制御する制御装置１９とを設けて、空調ユニット２から供給された空調空気と室内空気流入空間２０の室内空気とを吹き出し用ファン１４の駆動で混合して、その混合空気を吹き出し口１０から室内に向けて吹き出し可能に構成してある。
【００３３】
前記制御装置１９は、第１制御モードでは、風量設定手段１７による吹き出し風量を増大させる設定操作で、吹き出し用ファン１４の回転数を増大側に調節するとともに、吹き出し風量の増大分を補充する室内空気を吹き出し口１０に供給できるように、ダンパ２１の開度を大きくして、吹き出し口１０からの混合空気の吹き出し風量が増大するように、吹き出し用ファン１４とダンパ２１の作動を制御し、また、第２制御モードでは、吹き出し用ファン１４の回転数を予め設定してある設定回転数に増大させるとともに、吹き出し風量の増大分を補充する室内空気を吹き出し口１０に供給できるように、ダンパ２１の開度を大きくして、吹き出し口１０からの混合空気の吹き出し風量を予め設定してある設定風量に増大させ、混合空気の吹き出し風量を増大させた後は、設定時間が経過すると、センサ１８による検知前の吹き出し風量に復帰するように、吹き出し用ファン１４とダンパ２１の作動を制御する。
その他の構成は第１実施形態と同様である。
【００３４】
〔第４実施形態〕
図４は本発明による居住用室内空調設備の別実施形態を示し、空調空気供給ダクト３を、第１実施形態で示したような定風量ユニット１６を介さずに、各吹き出しユニット１に接続し、各吹き出しユニット１には、室内空気を吹き出し用空気として吹き出し口１０に供給可能な室内空気供給手段としての電動式吸引用ファン２３を、その空気供給量を吹き出し口１０毎に調節自在に、室内空気流入室１３に設けてある。
【００３５】
そして、各吹き出しユニット１毎に、吹き出し用ファン１４による吹き出し口１０からの吹き出し風量を任意に設定操作自在な風量設定手段１７と、吹き出し口１０近くの人間を検知可能なセンサ１８と、吹き出し用ファン１４と吸引用ファン２３の作動を制御する制御装置１９とを設けて、空調ユニット２から供給された空調空気と室内空気流入室１３の室内空気とを吹き出し用ファン１４の駆動で混合して、その混合空気を吹き出し口１０から室内に向けて吹き出し可能に構成してある。
【００３６】
前記制御装置１９は、第１制御モードでは、風量設定手段１７による吹き出し風量を増大させる設定操作で、吹き出し用ファン１４の回転数を増大側に調節するとともに、吹き出し風量の増大分を補充する室内空気を吹き出し口１０に供給できるように、吸引用ファン２３の回転数を増大させて、吹き出し口１０からの混合空気の吹き出し風量が増大するように、吹き出し用ファン１４と吸引用ファン２３の作動を制御し、また、第２制御モードでは、吹き出し用ファン１４の回転数を予め設定してある設定回転数に増大させるとともに、吹き出し風量の増大分を補充する室内空気を吹き出し口１０に供給できるように、吸引用ファン２３の回転数を増大させて、吹き出し口１０からの混合空気の吹き出し風量を予め設定してある設定風量に増大させ、混合空気の吹き出し風量を増大させた後は、設定時間が経過すると、センサ１８による検知前の吹き出し風量に復帰するように、吹き出し用ファン１４と吸引用ファン２３の作動を制御する。
その他の構成は第１実施形態と同様である。
【００３７】
〔第５実施形態〕
図５は本発明による居住用室内空調設備の別実施形態を示し、室内空気供給ダクト２４を吹き出しユニット１近くにおいて空調空気供給ダクト３に連通接続して、室内空気を空調空気供給ダクト３内に流入可能に設けるとともに、空調空気と室内空気との混合比を吹き出し口１０毎に調節自在な混合比調節手段としての、空調空気供給ダクト３内への室内空気の流入用開口２５の開度を調節自在な電動式のダンパ２６を、空調空気供給ダクト３内に設けて、ダンパ２６の開度を大きくすると、空調空気供給ダクト３側の流路断面積が狭くなって室内空気の混合比率が増大し、ダンパ２６の開度を小さくすると、空調空気供給ダクト３側の流路断面積が広くなって室内空気の混合比率が減少するように構成してある。
【００３８】
そして、各吹き出しユニット１毎に、吹き出し用ファン１４による吹き出し口１０からの吹き出し風量を任意に設定操作自在な風量設定手段１７と、風量設定手段１７による吹き出し風量の設定操作に基づいて吹き出し用ファン１４とダンパ２６の作動を制御する制御装置１７とを設けて、空調ユニット２から供給された空調空気と室内空気供給ダクト２４から流入した室内空気とを吹き出し用ファン１４の駆動で混合して、その混合空気を吹き出し口１０から室内に向けて吹き出し可能に構成してある。
【００３９】
前記制御装置１９は、第１制御モードでは、風量設定手段１７による吹き出し風量を増大させる設定操作で、吹き出し用ファン１４の回転数を増大側に調節するとともに、吹き出し風量の増大分を補充する室内空気を吹き出し口１０に供給できるように、ダンパ２６の開度を大きくして、空調空気と室内空気との混合比が、吹き出し風量の増大分を補充する室内空気をその吹き出し口１０に供給できる混合比になるように吹き出し用ファン１４とダンパ２６の作動を制御し、また、第２制御モードでは、吹き出し用ファン１４の回転数を予め設定してある設定回転数に増大させるとともに、空調空気と室内空気との混合比が、吹き出し風量の増大分を補充する室内空気をその吹き出し口１０に供給できる混合比になるように、ダンパ２６の開度を大きくして、吹き出し口１０からの混合空気の吹き出し風量を予め設定してある設定風量に増大させ、混合空気の吹き出し風量を増大させた後は、設定時間が経過すると、センサ１８による検知前の吹き出し風量に復帰するように、吹き出し用ファン１４とダンパ２６の作動を制御する。
その他の構成は第１実施形態と同様である。
【００４０】
〔その他の実施形態〕
１．本発明による居住用室内空調設備は、吹き出し用ファンの回転数に応じて変化する空気混合室内の静圧の大きさに応じて開度を調節自在なチャッキダンパを設けて、室内空気の吹き出し口への供給量や室内空気の混合比を調節しても良い。
２．本発明による居住用室内空調設備は、吹き出し口への空調空気の供給量を各吹き出し口毎に異なる略一定量に維持可能に構成してあっても良い。
３．本発明による居住用室内空調設備は、空調空気供給手段からの空調空気の供給量が略一定の暖房運転状態での、ある吹き出し口からの吹き出し風量を増大させる設定操作で、その増大分に相当する室内空気をその吹き出し口に供給可能に構成してあっても良い。
この場合、居住用室内空調設備の立ち上げ運転時に、各吹き出し口からの吹き出し風量を増大させる設定操作によって、部屋全体の室内空気の移動や循環を活発化させることができるので、部屋全体の室内空気が温度ムラや湿度ムラが少なくなるように攪拌され易く、部屋全体が所望の暖房状態になるように室内空気全体の温度や湿度を早期に調節し易い。
４．本発明による居住用室内空調設備は、システム天井対応型吹き出し口を設けて構成してあっても良い。
５．本発明による居住用室内空調設備は、パーソナルコンピュータから、無線ＬＡＮを介して、吹き出し風量の調節指令を制御装置に入力できるように構成してあっても良い。
６．本発明による居住用室内空調設備は、１／ｆゆらぎ対応の吹き出し用ファンを設けて構成してあっても良い。
７．本発明による居住用室内空調設備は、吹き出し口からの吹き出し風量を増大させる設定操作で、その増大分の全部を補充する室内空気を空調空気に混合可能に構成してあっても、その増大分の一部を補充する室内空気を空調空気に混合可能に構成してあっても良い。
８．本発明による居住用室内空調設備は、空調空気供給手段からの空調空気の供給量が略一定の運転状態での、ある吹き出し口からの吹き出し風量を増大させる設定操作で、その吹き出し口から空調空気と室内空気との混合空気を吹き出している状態において、各吹き出し口からの要求に応じて、空調空気供給手段からの空調空気の供給量を変更できるように構成してあってもよい。
９．本発明による居住用室内空調設備は、吹き出し用ファンを各別に備えた複数の吹き出し口を、居住用室内としての事務所内や店舗内，住宅内，学校内，ホテル内，催し場内などのに臨ませて設けてあっても良い。
【図面の簡単な説明】
【００４１】
【図１】居住用室内空調設備の概略図
【図２】第２実施形態を示す居住用室内空調設備の概略図
【図３】第３実施形態を示す居住用室内空調設備の概略図
【図４】第４実施形態を示す居住用室内空調設備の概略図
【図５】第５実施形態を示す居住用室内空調設備の概略図
【符号の説明】
【００４２】
２    空調空気供給手段
１０  吹き出し口
１４  吹き出し用ファン
１５  分散手段
１６  空調空気供給量維持手段
１７  風量設定手段
１８  センサ
１９  制御手段
２３  室内空気供給手段
２６  混合比調節手段
Ａ    居住用室内
【図１】
2007078262.tif 000003
【図２】
2007078262.tif 000004
【図３】
2007078262.tif 000005
【図４】
2007078262.tif 000006
【図５】
2007078262.tif 000007